(57)【要約】【課題】光ディスクの記録品質を向上するため、実測により得られたβ感度係数を用いた光ディスクドライブの記録パワー決定方法及び光ディスクドライブを提供する。【解決手段】スキップＯＰＣの記録中断直前の記録領域における記録パワー、及び記録パワーに複数の微小な記録パワーを段階的に加減算した記録パワー毎に所定のマーク・スペースの記録を実施し、記録中断後、記録パワーの各々と、各マーク・スペースの再生信号のβ値とからβ感度係数を求め、目標β値と記録中断直前の記録領域における記録パワーのβ値との差分に、β感度係数を積算し、記録中断直前の記録領域における記録パワーに加算することにより、補正された最適記録パワーを決定する。【選択図】      図１
2010129153.tif 000002
【特許請求の範囲】
【請求項１】
追記型光ディスクに情報記録を行う光ディスクドライブの記録方法であって、
記録を一時中断してパワー補正を行うスキップＯＰＣ動作において、
前記スキップＯＰＣの記録中断直前の記録領域における記録パワー、及び前記記録パワーに複数の微小な記録パワーを段階的に加減算した記録パワー毎に所定のマーク・スペースの記録を実施し、記録中断後、前記記録パワーの各々と、前記記録パワーの各々に対応する前記マーク・スペースの再生信号のアシンメトリを表すβ値とからβ感度係数を求めるステップと、
目標β値と前記記録中断直前の記録領域における記録パワーのβ値との差分に、前記β感度係数を積算し、前記記録中断直前の記録領域における記録パワーに加算することにより、補正された最適記録パワーを決定し、前記補正された最適記録パワーにより記録を再開するステップとを含むことを特徴とする光ディスクドライブの記録パワー決定方法。
【請求項２】
前記記録パワーに複数の微小な差のある記録パワーを段階的に加減算した記録パワーは、前記記録パワーの数％以下のパワーが均等又は不均等に前記複数に分割され、前記記録パワーに加減算されることを特徴とする請求項１に記載の光ディスクドライブの記録パワー決定方法。
【請求項３】
前記記録領域における記録パワー、及び前記記録パワーに複数の微小な差のある記録パワーを段階的に加減算した記録パワー毎に所定のマーク・スペースの記録を行うステップが、記録途中の任意のアドレスにおいて行われることを特徴とする請求項１乃至３のいずれかに記載の光ディスクドライブの記録パワー決定方法。
【請求項４】
追記型光ディスクに情報記録を行う光ディスクドライブであって、
最適記録パワーを決定するための演算、制御を行うライトストラテジ演算、制御部と、前記ライトストラテジ演算、制御部からのパルス設定パラメータデータを入力し、所定のデータの記録パルス列を生成して出力する記録パルス調整部と、前記光ディスクに記録された前記所定のデータの再生信号を基にアシンメトリを算出たデータを、前記ライトストラテジ演算、制御部に出力するデータ弁別、演算部とを含み、
前記ライトストラテジ演算、制御部は、記録を一時中断してパワー補正を行うスキップＯＰＣ動作において、
前記スキップＯＰＣの記録中断直前の記録領域における記録パワー、及び前記記録パワーに複数の微小な記録パワーを段階的に加減算した記録パワー毎に所定のマーク・スペースの記録を実施し、記録中断後、前記記録パワーの各々と、前記記録パワーの各々に対応する前記マーク・スペースの再生信号のアシンメトリを表すβ値とからβ感度係数を求める演算処理と、
目標β値と前記記録中断直前の記録領域における記録パワーのβ値との差分に、前記β感度係数を積算し、前記記録中断直前の記録領域における記録パワーに加算することにより、補正された最適記録パワーを決定する演算処理とを含むことを特徴とする光ディスクドライブ。
【発明の詳細な説明】
【技術分野】
【０００１】
本発明は、光ディスクに情報を記録するための記録品質に係り、詳しくは、実測により得られたβ感度係数を用いた光ディスクドライブの記録パワー決定方法及び光ディスクドライブに関する。
【背景技術】
【０００２】
追記型光ディスク等の記録品質を保証するためには、所定の記録パワーにより記録されたマーク・スペースの再生信号のアシンメトリを表すβ値を、記録速度に応じた目標βになるように、記録パワーを制御する必要がある。また、β値は、光ディスクの半径方向位置、レーザ、記録環境等の温度変化等で変動する。
【０００３】
βは、光ディスクにマーク・スペースを用いてデータを記録し、記録したマーク・スペースを読み出した再生信号（ＲＦ信号）のアシンメトリを表す。図２は、読み出されたＲＦ信号の信号波形図である。基準となるＲＦｒｅｆレベルからピークまでの波高値をＡ１、ボトムまでの波高値をＡ２とすると、β値は次式で表される。
【０００４】
β（％）＝［（Ａ１−Ａ２）／（Ａ１＋Ａ２）］×１００        （１）
【０００５】
図３は、光ディスクの構造を示す光ディスク構造図である。図３において、光ディスク１００は、使い方に関する情報を記録したリードイン領域１０、リードアウト領域２０、ユーザが利用できるデータ記録領域３０を有している。
【０００６】
図４、図５は、各レイアにおけるＣＬＶ（Ｃｏｎｓｔａｎｔ  Ｌｉｎｅａｒ  Ｖｅｌｏｃｉｔｙ）記録時のβ変動を示すβ特性図である。図４において、レイア０におけるベータの変動は、−６％〜５％の範囲でばらついている。図５において、レイア１におけるベータの変動は、０％〜６％の範囲でばらついている。
【０００７】
このため、光ディスクの半径位置によるベータの値の変化を基に記録パワーを制御する手段の一つとして、スキップＯＰＣ（Ｏｐｔｉｍｕｍ  Ｐｏｗｅｒ  Ｃｏｎｔｒｏｌ）がある。これは、記録中に記録を一時中断して、中断前の記録領域のβを実測し、目標β値との差分に相当する記録パワーを補正して、記録を再開するものである。一般的には、事前に各ディスク毎、速度毎にβ感度係数のテーブルを所有し、得られた差分にこの係数を乗算して、記録パワーの補正値を算出している。
【０００８】
この方法によると、β感度係数のテーブルを事前に準備し、光ディスクドライブに記憶しておく必要がある。また、実際に補正を行う光ディスクを直接測定して得られた係数ではないため、精度の高さに限界がある。特許文献１には、光学的情報記録媒体に、あらかじめ決められたデータ量のデータが連続して記録されたときに記録を中断し、記録動作を中断した直前の記録状態を測定し、この記録状態の測定結果と事前に保有したゲインとから、光学的情報記録媒体に次に記録を行うときの記録パワーを決定し、光学的情報記録媒体に、記録動作を中断した直後から、決定した記録パワーで記録を開始する、旨の記載がある。
【特許文献１】特開２００６−２６０６６８号公報
【発明の開示】
【発明が解決しようとする課題】
【０００９】
本発明は、このような問題を解決するためになされたものであり、その目的は、光ディスクの記録品質を向上するため、実測により得られたβ感度係数を用いた光ディスクドライブの記録パワー決定方法及び光ディスクドライブを提供することにある。
【課題を解決するための手段】
【００１０】
本発明の光ディスクドライブの記録パワー決定方法は、追記型光ディスクに情報記録を行う光ディスクドライブの記録方法であって、スキップＯＰＣ動作において、スキップＯＰＣの記録中断直前の記録領域における記録パワー、及び該記録パワーに複数の微小な記録パワーを段階的に加減算した記録パワー毎に所定のマーク・スペースの記録を実施するステップと、記録中断後、前記記録パワーの各々と、前記記録パワーの各々に対応するマーク・スペースの再生信号のアシンメトリを表すβ値とからβ感度係数を求めるステップと、目標β値と記録中断直前の記録領域における記録パワーのβ値との差分に、β感度係数を積算し、記録中断直前の記録領域における記録パワーに加算することにより、補正された最適記録パワーを決定するステップと、補正された最適記録パワーにより記録を再開するステップとを含むことを特徴とする。これにより、実測により得られたβ感度係数を用いて光ディスクドライブの最適記録パワーを決定することができる。
【００１１】
本発明の光ディスクドライブの記録パワー決定方法の記録パワーに複数の微小な記録パワーを段階的に加減算した記録パワーは、前記記録パワーの数％以下のパワーが均等又は不均等に前記複数に分割され、前記記録パワーに加減算されることを特徴とする。これにより、複数の微小な差のある記録パワーを詳細に設定し、精度の高いβ感度係数を得ることができる。
【００１２】
本発明の光ディスクドライブの記録パワー決定方法の記録領域における記録パワー、及び該記録パワーに複数の微小な差のある記録パワーを段階的に加減算した記録パワー毎に所定のマーク・スペースの記録を行うステップが、記録途中の任意のアドレスにおいて行われることを特徴とする。これにより、β感度係数を得るための記録領域の選択自由度が拡大し、より高精度の補正が可能となる。
【００１３】
本発明の光ディスクドライブは、追記型光ディスクに情報記録を行う光ディスクドライブであって、最適記録パワーを決定するための演算、制御を行うライトストラテジ演算、制御部と、ライトストラテジ演算、制御部からのパルス設定パラメータデータを入力し、所定のデータの記録パルス列を生成して出力する記録パルス調整部と、光ディスクに記録された所定のデータの再生信号を基にアシンメトリを算出たデータを、ライトストラテジ演算、制御部に出力するデータ弁別、演算部とを含み、ライトストラテジ演算、制御部は、記録を一時中断してパワー補正を行うスキップＯＰＣ動作において、スキップＯＰＣの記録中断直前の記録領域における記録パワー、及び記録パワーに複数の微小な記録パワーを段階的に加減算した記録パワー毎に所定のマーク・スペースの記録を実施し、記録中断後、記録パワーの各々と、記録パワーの各々に対応するマーク・スペースの再生信号のアシンメトリを表すβ値とからβ感度係数を求める演算処理と、目標β値と記録中断直前の記録領域における記録パワーのβ値との差分に、β感度係数を積算し、記録中断直前の記録領域における記録パワーに加算することにより、補正された最適記録パワーを決定する演算処理とを含むことを特徴とする。これにより実測により得られたβ感度係数を用いて最適記録パワーを決定する光ディスクドライブを提供することができる。
【発明の効果】
【００１４】
本発明によれば、記録中の光ディスクでの実測に基づくβ感度係数を用いた光ディスクドライブの記録パワー決定方法及び光ディスクドライブを提供することができるため、β感度係数のテーブルを事前に準備し、且つ、光ディスクドライブに記憶しておく必要がなく、さらに、実物に即したより精度の高い補正が可能となる。
【発明を実施するための最良の形態】
【００１５】
本発明の実施例について図を用いて説明する。図６は、本発明による方法を実行する光ディスクドライブの基本機能ブロック図である。図６において、光ディスク１は、半導体レーザにより情報の記録、再生が行える追記型光ディスクである。
【００１６】
ＲＯＭ２２０は、ライトストラテジが記憶されている不揮発性メモリであり、設計者により、各種のディスクに対応したライトストラテジ等が記憶されている。ライトストラテジメモリ部２１８は、ライトストラテジ演算、制御部２１６で計算されたライトストラテジパラメータを一時的に記憶するメモリである。
【００１７】
ライトストラテジ演算、制御部２１６は、ＲＯＭ２２０から読み出した各ストラテジの初期条件データと、記録を一時中断してパワー補正を行うスキップＯＰＣ動作の記録中断直前の記録領域における記録パワー、及び記録パワーに複数の微小な記録パワーを段階的に加減算した記録パワー毎に所定のマーク・スペースの記録を実施するデータを、記録パルス調整部２２６に送り、光ディスク１に記録させる。
【００１８】
また、読み出されたデータからデータ弁別、演算部２１２が算出した読み出しデータを基に、記録中断後、記録パワーの各々と、記録パワーの各々に対応するマーク・スペースの再生信号のアシンメトリを表すβ値とからβ感度係数を求め、目標β値と記録中断直前の記録領域における記録パワーのβ値との差分に、β感度係数を積算し、記録中断直前の記録領域における記録パワーに加算することにより、補正された最適記録パワーを決定し、ライトストラテジメモリ部２１８に記憶され、適宜読み出されて補正された最適記録パワーにより記録を再開する。
【００１９】
記録パワーに複数の微小な差のある記録パワーを段階的に加減算した記録パワーは、記録パワーの数％以下のパワーが均等又は不均等に複数に分割され、記録パワーに加減算される。さらに、記録領域における記録パワー、及び記録パワーに複数の微小な差のある記録パワーを段階的に加減算した記録パワー毎に所定のマーク・スペースの記録を行う段階が、記録途中の任意のアドレスにおいて行われる。
【００２０】
記録パルス調整部２２６は、ライトストラテジ演算、制御部２１６からのパルス設定パラメータデータを入力し、記録パルス列を生成してレーザ駆動部２２８に出力する。レーザ駆動部２２８は、入力した記録パルスに応じたレーザダイオード駆動用のパルス信号を発生して、光ピックアップ２００内の半導体レーザに出力し、半導体レーザは所定のデータを光ディスク１に記録する。
【００２１】
ヘッドアンプ２０２は、光ピックアップ２００が光ディスク１から検出した反射光により、反射光量を演算して、光量の総和を示すＲＦ信号を生成すると共に、光ピックアップ２００の半導体レーザの焦点ズレを検出する信号であるフォーカスエラー信号と、トラックズレを検出する信号であるトラッキングエラー信号とを生成する。
【００２２】
２値化回路２０４は、ヘッドアンプ２０２からの検出信号を成形してマーク及びスペースに応じた２値のデジタル信号を生成する再生信号生成回路である。すなわち、２値化回路２０４は、ヘッドアンプ２０２から出力されたアナログの３Ｔ、４Ｔ、５Ｔ、・・・等の各種信号を２値化して、パルス波形に直すための閾値を常に調節している。
【００２３】
クロックズレ測定部２０８は、ストラテジパラメータの変動を測定する測定部である。すなわち、クロックズレ測定部２０８は、２値化回路２０４からデータを取得し、各種信号のエッジとクロックエッジとのズレを測定する。
【００２４】
ＲＡＭ２１０は、クロックズレ測定部２０８で測定したデータを一時的に記憶するメモリである。
【００２５】
データ弁別、演算部２１２は、ＲＡＭ２１０に記憶された測定データより、ライトストラテジ演算、制御部２１６により設定された、記録中断後、記録パワーの各々と、記録パワーの各々に対応するマーク・スペースの再生信号のアシンメトリを表すβ値の算出に対応付けられるデータを、ライトストラテジ演算、制御部２１６に出力する。次に、上記で説明したライトストラテジ演算、制御部２１６で行なわれる演算処理について詳しく説明する。
【００２６】
本発明の実施例について説明する。スキップＯＰＣにおいて、光ディスクドライブは、記録を一時中断するアドレスに対して、所定のアドレス数だけ前のアドレスになると、現在の記録中のパワーを基準として、複数の微小な記録パワーを段階的に加えた記録パワー毎に所定のマーク・スペースの記録を実施する。例えば、現記録パワーをＰｗ（ｉ）とすると、Ｐｗ（ｉ）より小さい記録パワーをＰｗ（１）＝Ｐｗ（ｉ）−ΔＰ１に、Ｐｗ（ｉ）より大きい記録パワーをＰｗ（２）＝Ｐｗ（ｉ）＋ΔＰ２、・・・、Ｐｗ（ｎ）＝Ｐｗ（ｎ−１）＋ΔＰｎに設定して、所定のマーク・スペースの記録を実施する。ΔＰ１〜ΔＰｎには、現記録パワーの５％以下のパワーを均等又は不均等に分割したパワーを適宜割り当てても良く、分割されたいずれか１つであっても良い。例えば、ΔＰ１、ΔＰ２を現記録パワーの１％値、ΔＰ３を現記録パワーの３％値、ΔＰ４を現記録パワーの５％値としても良い。
【００２７】
図１は、本発明に基づく記録パワーに対するβ値の関係を示すＰｗ−β特性図である。図１において、現記録パワーのＰｗ（ｉ）と、現記録パワーの１％値を加減算したＰｗ（１）、Ｐｗ（２）と、現記録パワーの３％値を加算したＰｗ（３）とに対し、（１）式により計算された各β値（％）をプロットし、このプロットされた点を直線近似した様子を擬似的に示している。
【００２８】
この近似直線から、直線の勾配（ｋ）を求め、その逆数を実測β感度係数（Ｇ（ｃ））とすると、
Ｇ（ｃ）＝１／ｋ（ｍＷ／％）        （２）
で表される。この（２）式を基に、記録中断前にＰｗ（ｉ）で記録された領域の実測されたβをβ（ｉ）とし、目標βをβ（ｔ）とすると、補正された最適記録パワー（Ｐｗ（ｃ））は次式で表される。
Ｐｗ（ｃ）＝Ｐｗ（ｉ）＋Ｇ（ｃ）×｛β（ｔ）−β（ｉ）｝      （３）
光ディスクドライブは、（３）式を基に補正された最適記録パワーにより記録を再開し、次に始まる、記録を一時中断するアドレスに対して、所定のアドレス数だけ前のアドレスになると、再び同様の処理を行う。また、この処理は、記録を一時中断するアドレスの他に、記録途中の任意のアドレスにおいて行われても良い。
【００２９】
以上説明したように、本発明によると、記録中の光ディスクでの実測に基づくβ感度係数を用いた光ディスクドライブの記録パワー決定方法及び光ディスクドライブを提供することができるため、β感度係数のテーブルを事前に準備し、且つ、光ディスクドライブに記憶しておく必要がなく、さらに、実物に即したより精度の高い補正が可能となる。
【図面の簡単な説明】
【００３０】
【図１】本発明に基づく記録パワーに対するβ値の関係を示すＰｗ−β特性図。
【図２】読み出されたＲＦ信号の信号波形図。
【図３】光ディスクの構造を示す光ディスク構造図。
【図４】ＣＬＶ記録時のレイア０におけるβの変動を示すβ特性図。
【図５】ＣＬＶ記録時のレイア１におけるβの変動を示すβ特性図。
【図６】本発明による方法を実行する光ディスクドライブの基本機能ブロック図。
【符号の説明】
【００３１】
１  光ディスク
２  光ディスクドライブ
２００  光ピックアップ
２０２  ヘッドアンプ
２０４  ２値化回路
２０８  クロックズレ測定部
２１０  ＲＡＭ
２１２  データ弁別、演算部
２１６  ライトストラテジ演算、制御部
２１８  ライトストラテジメモリ部
２２０  ＲＯＭ
２２６  記録パルス調整部
２２８  レーザ駆動部
１０  リードイン領域
２０  リードアウト領域
３０  データ領域
β  マーク・スペースの再生信号のアシンメトリの度合い
Ｐｗ（ｉ）  現記録パワー
βｉ  現記録パワーにおけるβ値
ＲＦｒｅｆ  ＲＦ信号の基準レベル
Ａ１  ＲＦｒｅｆレベルからピークまでの波高値
Ａ２  ＲＦｒｅｆレベルからボトムまでの波高値
ＯＰＣ  （Ｓｋｉｐ）Ｏｐｕｔｉｍｕｍ  Ｐｏｗｅｒ  Ｃｏｎｔｒｏｌ
【図１】
2010129153.tif 000003
【図２】
2010129153.tif 000004
【図３】
2010129153.tif 000005
【図４】
2010129153.tif 000006
【図５】
2010129153.tif 000007
【図６】
2010129153.tif 000008